【事件の表示】
　平成　７年特許願第１６６０２４号「情報記録装置及び情報再生装置並びに情報記録媒体」拒絶査定不服審判事件〔平成　９年　１月１７日出願公開、特開平　９−　１７１５９〕について、次のとおり審決する。
【結　論】
　本件審判の請求は、成り立たない。
【理　由】
１　手続の経緯
　本願は、平成７年６月３０日の出願であって、平成１６年８月４日付けで拒絶査定がなされ、これに対し、平成１６年９月１６日に拒絶査定不服審判が請求されるとともに、平成１６年１０月１８日付けで手続補正がなされ、その後平成１９年２月１日付けで当審より拒絶理由が通知され、平成１９年４月９日付けで意見書が提出されるとともに手続補正がなされたものである。
　
２　本願発明　
　本願の請求項１ないし５２に係る発明は、平成１９年４月９日付け手続補正により補正された明細書の特許請求の範囲の請求項１ないし５２に記載された事項により特定されるとおりのものであるところ、そのうち請求項３８に係る発明（以下、「本願発明」という。）は、次のとおりである。
　
「【請求項３８】　曲情報としての内容に応じて夫々分割された複数の第１単位情報から夫々構成される複数の第２単位情報に区分された前記曲情報と、前記第１単位情報の各々について、当該各第１単位情報が夫々属する前記第２単位情報内における当該第１単位情報自体としての具体的内容を示す内容情報を少なくとも含む付加情報が、相互に別個の領域に記録されている情報記録媒体を再生する情報再生方法であって、
　前記情報記録媒体から情報を読み取る工程と、
　前記付加情報を抽出する工程と、
　当該抽出された付加情報内の前記内容情報及び再生すべき前記内容種類を指定する指定信号に基づき、指定された前記内容情報の前記第１単位情報に対応する前記曲情報を再生する工程と、
　を含むことを特徴とする情報再生方法。」
　
３　引用例
　(1)引用例１
　当審において平成１９年２月１日付けで通知した拒絶理由で引用された刊行物である特開平７−１４１８４４号公報（平成７年６月２日出願公開。以下「引用例１」という。）は、ビデオディスク及びビデオディスク再生装置に関して、以下の技術事項が図面と共に記載されている。（なお、下線は当審で付与した。）
　
　ア　「【特許請求の範囲】
【請求項１】  リ−ドインエリアと、映像情報の記録されたプログラムエリアを有するビデオディスクに於いて、
前記プログラムエリアは、映像情報の内容に対応して区分された識別可能な複数種類のブロック群から構成され、
前記リ−ドインエリア及び前記各ブロックには、指定された種類のブロックを順番にアクセス可能にするアドレス情報が記録されている、
ビデオディスク。
【請求項２】  請求項１のビデオディスクに記録されている情報を読み出して電気信号として再生する再生手段と、
再生対象の映像情報の種類を指定するための指定手段と、
映像情報の種類が指定されて再生が指令された場合は、当該種類のブロックを請求項１のアドレス情報に基づいて順番にアクセスするアクセス制御手段と、
を有するビデオディスク再生装置。」
　
　イ　「【０００３】
【発明が解決しようとする課題】ビデオディスクをダイジェスト再生したいという要請がある。例えば、教育用等のビデオディスクに於いて、見る者のレベルに応じて平易な解説シ−ンのみを選択的に再生したい場合や、逆に、平易な部分を省いて専門的で高度な解説シ−ンのみを選択的に再生したい場合である。また、ソフトのデモンストレ−ションのために当該ソフトのハイライトシ−ンのみを再生したい場合や、逆に、当該ソフトの販売を考慮して、宣伝時にはハイライトシ−ンを伏せて再生したい場合もある。また、大人用か子供用かで、シ−ンを切り換えて再生したい場合もある。
【０００４】また、上記のダイジェスト再生を行うための再生装置に関して、再生対象のシ−ンの種類を当該装置から指定入力できるようにしたい場合と、当該装置に於いて再生可能なシ−ンの種類を出荷時等に予め固定しておきたい場合とがある。前者は、例えば、選択枝の多様さを望むユ−ザ−向けである。後者は、例えば、見る者の範囲等が固定的なユ−ザ−向けであり、この場合には、種類指定入力の煩雑さが無いため、装置の操作が簡便になるという利点がある。
【０００５】本発明は、上記の事情に鑑みたもので、ダイジェスト再生等のように、所望の映像部分のみを指定して再生できるビデオディスクと、そのための再生装置の提供を目的とする。」
　
　ウ　「【０００６】
【課題を解決するための手段】請求項１の発明は、リ−ドインエリアと映像情報の記録されたプログラムエリアを有するビデオディスクに於いて、前記プログラムエリアは映像情報の内容に対応して区分された識別可能な複数種類のブロック群から構成され、前記リ−ドインエリア及び前記各ブロックには指定された種類のブロックを順番にアクセス可能にするアドレス情報が記録されているビデオディスクである。
【０００７】上記アドレス情報は、指定された種類のブロックを映像の開始側から順番にアクセスできる情報であればよい。例えば、全ブロックの種類と各ブロックの先頭フレ−ムのアドレス等をディスク管理情報（ＴＯＣ）としてリ−ドインエリア内に記録しておき、映像情報の各フレ−ムに当該フレ−ムのアドレスや種類の識別情報を記録しておくことで、上記アドレス情報を構成できる。また、各種類の最初のブロックの先頭フレ−ムのアドレスを当該ブロックの種類とともにディスク管理情報（ＴＯＣ）としてリ−ドインエリア内に記録しておき、プログラムエリアの各ブロックには、次にアクセスすべきブロック（同一種類のブロック）を指定する情報を記録しておくことで、上記アドレス情報を構成してもよい。
【０００８】請求項２の発明は、請求項１のビデオディスクに記録されている情報を読み出して電気信号として再生する再生手段と、再生対象の映像情報の種類を指定するための指定手段と、映像情報の種類が指定されて再生が指令された場合は当該種類のブロックを請求項１のアドレス情報に基づいて順番にアクセスするアクセス制御手段と、を有するビデオディスク再生装置である。
【０００９】上記指定手段は、装置の操作パネル等に設けることで、誰でも入力できる手段として構成してもよい。また、装置内部にディップスイッチ等として設けることで、限定された人のみが入力できる手段として構成してもよい。また、工場出荷前等に種類の指定状態を固定しておくことで、当該種類のシ−ンのみを再生するための専用機として構成してもよい。」
　
　エ　「【００１０】
【作用】請求項１のビデオディスクがセットされた請求項２の再生装置で、映像情報の種類が指定されて再生が指令されると、アクセス制御手段は、指定された種類のブロックを、上記ビデオディスクのアドレス情報に従って映像の開始側から順番にアクセスする。これにより、指定された種類の映像のみが再生される。」
　
　オ　「【００１１】
【実施例】以下、本発明の実施例を説明する。
【００１２】＊第１実施例（図１〜図５）
図１はＭＵＳＥ方式のビデオディスク（以下「ＭＵＳＥディスク」という）の再生装置（プレ−ヤ−）の機能ブロック図、図２はＭＵＳＥディスクの記録フォ−マット図、図３はＭＵＳＥディスクの映像エリア（プログラムエリア）の１フレ−ムの構成図、図４はＭＵＳＥディスクのリ−ドインエリアの１フレ−ムの構成図、図５は図４中のブロック情報の構成図である。
【００１３】まず、ＭＵＳＥディスクの記録フォ−マットを説明する。
ＭＵＳＥディスクの最内周部、即ち、記録トラックの開始部分であるリ−ドインエリア201 には、リ−ドイン信号が記録されている。また、その外側にはプログラムエリア202 が設けられており、ここに映像信号が記録されている。この映像信号は、優先再生情報であるか非優先再生情報であるかによって、優先再生ブロック205 又は非優先再生ブロック206 に各々区分されて記録されている。
【００１４】
上記リ−ドイン信号は、映像情報を持たないブランクのＭＵＳＥ信号で構成されており、その各フレ−ムには、共通のディスク管理情報（ＴＯＣ）204 が多重記録されている。例えば、図４に示すように、開始アドレス401 、終了アドレス402 、及び、複数のブロック情報403 が、リ−ドイン信号の水平ラインに分散して多重されている。ここで、ブロック情報403 は、上記映像信号の上記各ブロックに順番に対応する情報であり、図５に示すように、ブロック情報403 の先頭を示す特定パタ−ンの同期信号501 、当該ブロックの優先フラグ情報506 、当該ブロック番号503 、当該ブロックの先頭フレ−ムのアドレス504 、及び、ユ−ザ情報505 より構成される。なお、優先フラグ情報506 は、当該ブロックが優先再生ブロック205 であるか非優先再生ブロック206 であるかを示す情報である
【００１５】一方、上記映像信号の各１フレ−ムの垂直ブランキング期間中の第５６４ライン、即ち、ＭＵＳＥ信号の空きラインには、図３のように、フレ−ム周期で歩進するアドレス301 、ブロック番号302 、及び、経過時間303 から成るアドレス情報や、当該フレ−ムの属するブロックが優先再生ブロック205 であるか非優先再生ブロック206 であるかを示す識別情報304 等が記録されている。
【００１６】次に、
上記ＭＵＳＥディスクの再生装置（プレ−ヤ）を説明する
【００１７】なお、上記に於いて、ＦＭ復調回路105 とアドレス情報検出回路106 を有する部分を再生部112 とし、ピックアップサ−ボ104 、ＣＰＵ109 、及び、ＲＯＭ111 を有する部分を制御部113 とする。また、上記では、モ−タ102 の制御回路等は、図示を省略されている。
【００１８】次に、上記プレ−ヤでビデオディスク101 を再生する動作を説明する。まず、ビデオディスク101 がプレ−ヤにセットされると、モ−タ102 の回転が開始される。この回転が定常回転に達すると、ＣＰＵ109 からピックアップサ−ボ回路104 に対して命令が送られ、ピックアップ103 が、ビデオディスク101 のリ−ドインエリア201 に移動される。
【００１９】
リ−ドインエリア201 の情報は、随時ピックアップ103 により検出され、ＦＭ復調回路105 で復調される。この復調された信号に基づいて、アドレス情報検出回路106 により、ブロック情報403 が検出される。この検出されたブロック情報403 は、順次、ＲＡＭ110 のテ−ブルに格納される
【００２０】上記待機状態で、
操作部108 でハイライトシ−ン（優先再生ブロック205)のみをダイジェスト再生すべき旨の指定が入力されて、その旨の情報がＣＰＵ109 に送られて来る
【００２１】まず、
ＲＡＭ110 上に格納されたブロック情報403 のテ−ブルが検索され、該テ−ブル中より、優先フラグ情報506 に、優先再生ブロックである旨が記録されているブロック情報403 のみが抽出され
各優先再生ブロック205 のフレ−ム数と最終アドレスは、次のブロックの先頭フレ−ムのアドレス504 より算出可能である
【００２２】
上記の如く抽出された情報に基づき、次に、ＣＰＵ109 からピックアップサ−ボ104 に対して、まず、ブロック番号が一番小さな優先再生ブロック205 の先頭フレ−ムのアドレスへピックアップ103 を移動させるべき旨が指令される。この移動後、ピックアップ103 により検出される再生信号は、ＦＭ復調回路105 でＦＭ復調されて、出力端子107 から出力される。これにより、当該最初の優先再生ブロック205 の映像が再生される
【００２３】また、
上記最小のブロック番号の優先再生ブロック205 の映像再生が終了すると、次に、２番目にブロック番号の小さな優先再生ブロック205 へピックアップ103 が移動されて、同様に再生される。以下、同様にして、ブロック番号順に優先再生ブロック205 が再生される。このようにして、優先再生情報ブロックの映像（ハイライトシ−ンの映像）が再生される
【００２４】ここで、上記優先再生ブロック205 の再生期間中、ＣＰＵ109 はアドレス情報検出回路106 からの映像エリア202 の各フレ−ムの第５６４ラインのアドレス情報をモニタ−しており、該アドレス情報が、当該優先再生ブロック205 の最終アドレスを越えないか否か監視している。即ち、上記アドレス情報が、当該ブロックの最終アドレスを越えた場合には、ＣＰＵ109 は、前記抽出情報に基づき、次のブロック番号の優先再生ブロック205 の先頭フレ−ムのアドレスへピックアップ103 を移動させるのである。また、最終番号の優先再生ブロック205 の再生が終了すると、全再生動作が終了される。
【００２５】なお、上記では、優先再生ブロック205 をダイジェスト再生する場合を説明しているが、
同様にして非優先再生ブロック206 をダイジェスト再生することもできる。
　
　(2)引用例２
　同じく前記拒絶理由で引用された刊行物である特開平４−１２９０８３号公報（以下、「引用例２」という。）は、電子音楽再生装置に関して、次の技術事項が図面とともに記載されている。なお、下線は当審で付与した。
　
　カ　「１．曲の選曲をするための入力手段と、曲名を記憶するための曲名記憶手段と、
音楽演奏のための演奏データを前奏・コーラス・後奏にそれぞれ分割した演奏データ
　
　キ　「第１図は、本発明の楽音情報記憶媒体に格納される一曲分の楽音情報のデータ構成の一例を示している。
　この格納された情報は、楽音情報部１０と制御データ部１２とからなっている。
楽音情報部１０は、本実施例の場合、前奏部１４、第１コーラス部１６、第１間奏部１８、第２コーラス部２０、更に第２間奏部及び第３コーラス部（図示省略）及び後奏部２２とからなっている
　
４　対　比
　前記３(1)アないしオの記載事項と図面の記載とを総合勘案すると、引用例１には、次の発明（以下、「引用例１発明」という。）が記載されているものと認めることができる。
　
　「記録トラックの開始部分であるリ−ドインエリア201 には、リ−ドイン信号が記録され、その外側にはプログラムエリア202 が設けられており、ここに映像信号が記録され、この映像信号は、優先再生情報であるか非優先再生情報であるかによって、優先再生ブロック205 又は非優先再生ブロック206 に各々区分されて記録されており、
　上記リ−ドイン信号は、映像情報を持たないブランクのＭＵＳＥ信号で構成されており、その各フレ−ムには、共通のディスク管理情報（ＴＯＣ）204 である開始アドレス401 、終了アドレス402 、及び、複数のブロック情報403 が、リ−ドイン信号の水平ラインに分散して多重され、上記ブロック情報403 は、上記映像信号の上記各ブロックに順番に対応する情報であり、ブロック情報403 の先頭を示す特定パタ−ンの同期信号501 、当該ブロックが優先再生ブロック205 であるか非優先再生ブロック206 であるかを示す優先フラグ情報506 、当該ブロック番号503 、当該ブロックの先頭フレ−ムのアドレス504 、及び、ユ−ザ情報505 より構成されている
　ビデオディスクの再生方法であって、　
  リ−ドインエリア201 の情報は、随時ピックアップ103 により検出され、ＦＭ復調回路105 で復調され、この復調された信号に基づいて、アドレス情報検出回路106 により、ブロック情報403 が検出され、この検出されたブロック情報403 は、順次、ＲＡＭ110 のテ−ブルに格納され、
  操作部108 でハイライトシ−ン（優先再生ブロック205)のみをダイジェスト再生すべき旨の指定が入力されて、その旨の情報がＣＰＵ109 に送られて来ると、ＲＡＭ110 上に格納されたブロック情報403 のテ−ブルが検索され、該テ−ブル中より、優先フラグ情報506 に、優先再生ブロックである旨が記録されているブロック情報403 のみが抽出され、
  抽出された情報に基づき、ＣＰＵ109 からピックアップサ−ボ104 に対して、まず、ブロック番号が一番小さな優先再生ブロック205 の先頭フレ−ムのアドレスへピックアップ103 を移動させるべき旨が指令され、この移動後、ピックアップ103 により検出される再生信号は、ＦＭ復調回路105 でＦＭ復調されて、出力端子107 から出力され、これにより当該最初の優先再生ブロック205 の映像が再生され、
  以下、ブロック番号順に優先再生ブロック205 が再生される、
　同様にして非優先再生ブロック206 をダイジェスト再生することもできる
　再生方法。」
　
　そこで、本願発明と引用例１発明を比較する。
　引用例１発明の「映像信号」及び「映像情報」と、本願発明の「曲情報」は、ともに「情報」である点で共通する。
　引用例１発明の「優先再生ブロック205 」及び「非優先再生ブロック206 」は、（映像）信号が優先再生情報であるか非優先再生情報であるかによって区分されたもので、（映像）情報の内容に応じて区分されたもの（前記３(1)ア参照。）でもあるから、本願発明の「（曲）情報としての内容に応じて夫々分割された複数の第１単位情報」に相当する。
　引用例１発明の「当該ブロックが優先再生ブロック205であるか非優先再生ブロック206であるかを示す優先フラグ情報506」及び該優先フラグ情報506を含む「ブロック情報403」は、優先であるか非優先であるかが上記のとおりブロックの内容に対応したものであるから、それぞれ本願発明の「当該第１単位情報自体としての具体的内容を示す内容情報」及び「付加情報」に相当する。
　引用例１発明の「ビデオディスク」は、前記ブロック情報403を含むリードイン信号が記録トラックの開始部分であるリードインエリア201に記録され、（映像）信号がその外側のプログラムエリア202に記録されているから、本願発明の、（曲）情報と付加情報が、「相互に別個の領域に記録されている情報記録媒体」に相当する。
　引用例１発明の「ビデオディスクの再生方法」は、本願発明の「情報記録媒体を再生する情報再生方法」に相当する。
　引用例１発明の「ＣＰＵ109 からピックアップサ−ボ104 に対して、まず、ブロック番号が一番小さな優先再生ブロック205 の先頭フレ−ムのアドレスへピックアップ103 を移動させるべき旨が指令され、この移動後、ピックアップ103 により検出される再生信号は、ＦＭ復調回路105 でＦＭ復調されて、出力端子107 から出力され、これにより当該最初の優先再生ブロック205 の映像が再生され、 以下、ブロック番号順に優先再生ブロック205 が再生される」は、本願発明の「前記情報記録媒体から情報を読み取る工程」と共通の工程を備えるものである。
　引用例１発明の「リ−ドインエリア201 の情報は、随時ピックアップ103 により検出され、ＦＭ復調回路105 で復調され、この復調された信号に基づいて、アドレス情報検出回路106 により、ブロック情報403 が検出され、この検出されたブロック情報403 は、順次、ＲＡＭ110 のテ−ブルに格納され」は、本願発明の「前記付加情報を抽出する工程」と共通の工程を有している。
　引用例１発明の「操作部108 でハイライトシ−ン（優先再生ブロック205)のみをダイジェスト再生すべき旨の指定が入力されて、その旨の情報がＣＰＵ109 に送られて来ると、ＲＡＭ110 上に格納されたブロック情報403 のテ−ブルが検索され、該テ−ブル中より、優先フラグ情報506 に、優先再生ブロックである旨が記録されているブロック情報403 のみが抽出され、
  抽出された情報に基づき、ＣＰＵ109 からピックアップサ−ボ104 に対して、まず、ブロック番号が一番小さな優先再生ブロック205 の先頭フレ−ムのアドレスへピックアップ103 を移動させるべき旨が指令され、この移動後、ピックアップ103 により検出される再生信号は、ＦＭ復調回路105 でＦＭ復調されて、出力端子107 から出力され、これにより当該最初の優先再生ブロック205 の映像が再生され、
  以下、ブロック番号順に優先再生ブロック205 が再生される、
　同様にして非優先再生ブロック206 をダイジェスト再生することもできる」について、
　引用例１発明の前記「ハイライトシ−ン（優先再生ブロック205)のみをダイジェスト再生すべき旨の指定が入力されて、その旨の情報」が、本願発明の「再生すべき前記内容種類を指定する指定信号」に相当することから、
　本願発明の「当該抽出された付加情報内の前記内容情報及び再生すべき前記内容種類を指定する指定信号に基づき、指定された前記内容情報の前記第１単位情報に対応する前記（曲）情報を再生する工程」と共通の工程を有している。
　
 　そうすると、本願発明と引用例１発明は次の点で一致する。
＜一致点＞
　「情報としての内容に応じて夫々分割された複数の第１単位情報に区分された前記情報と、前記第１単位情報の各々について、当該第１単位情報自体としての具体的内容を示す内容情報を少なくとも含む付加情報が、相互に別個の領域に記録されている情報記録媒体を再生する情報再生方法であって、
　前記情報記録媒体から情報を読み取る工程と、
　前記付加情報を抽出する工程と、
　当該抽出された付加情報内の前記内容情報及び再生すべき前記内容種類を指定する指定信号に基づき、指定された前記内容情報の前記第１単位情報に対応する前記情報を再生する工程と、
　を含む情報再生方法。」
　
一方、次の各点で相違する。
（相違点１）
　情報記録媒体に記録された情報について、本願発明では曲情報であるのに対し、引用例１発明では映像信号である点。
（相違点２）
　本願発明において、（曲）情報が、「複数の第１単位情報から夫々構成される複数の第２単位情報に区分された前記（曲）情報」とされているのに対し、引用例１発明では、（映像）信号を前記「第２の単位情報」に区分する点について明示されていない点。
　
５　判　断
　前記相違点１及び２について検討する。
　引用例１発明において、映像情報を内容に応じて各ブロックに区分しているが、情報を内容に応じて区分することは、映像情報に特有のものではなく、曲情報について内容に応じて区分することも引用例２に記載されているように従来から行われていることである（前記３(2)カキ参照。）。してみれば、引用例１発明において、プログラムエリアに記録される内容に応じて区分された情報として、映像情報に代えて曲情報とすることは、当業者が適宜設定ないしは容易に想到しうる事項にすぎないものである。なお、本願明細書の段落【００４６】（平成１４年６月２１日付け手続補正書参照。）にも、「また、音楽情報のみでなく映像情報を上述のように内容種類毎に区分して記録するようにし、当該内容種類毎に再生するように構成することもできる。」と記載されているように、本願発明の技術思想は、曲情報のみに適用されるものではない。
　また、情報を階層構造で管理することは、通常の情報管理の手法にすぎないものであり、引用例１発明において、複数の優先ブロックと非優先ブロックとを合わせて１つのまとまり（すなわち、第２情報単位）として管理することは、当業者が容易に想到しうるものである。
　
　そして、上記各相違点の判断を総合しても、本願発明の奏する効果は引用例１、２に記載された発明から当業者が十分に予測できたものであって、格別のものとはいえない。
　
　よって、本願発明は、引用例１、２に記載された発明に基づいて、当業者が容易に発明をすることができたものである。
　
　なお、審判請求人は、前記拒絶理由に対する意見書において下記の主張をしているので、検討する。
　(1)　「第１単位情報」について、引用文献１（当審注：前記引用例１のこと。）では、「最初にフレーム単位に映像が分割されており、そのフレーム毎に優先度に関する情報が記録され」るとし、「引用文献１記載の発明では、例えばハイライトか否かと言う「内容」によって映像が分割されているわけではありません。この点で、引用文献１記載の発明には、「内容に応じた分割単位」は存在せず、よってそのような分割単位で分割された映像の内容を示す内容情報もまた存在し得ません。すなわち、引用文献１は、補正後の本願発明に係る「第１単位情報」に相当するもの（及びこれに付随した補正後の本願発明に係る「内容情報」）を開示又は示唆するものでは決してないと言わざるを得ません。」と主張している。
　しかしながら、引用例１発明の該優先再生ブロック及び非優先再生ブロックは、内容に応じて区分されたもの（前記３(1)アウエ参照。）であり、該優先再生ブロック又は非優先再生ブロックの単位で映像信号が再生されるものである。これは、「各優先再生ブロック205 のフレ−ム数と最終アドレスは、次のブロックの先頭フレ−ムのアドレス504 より算出可能である」（前記３(1)オ段落【００２１】参照。）と記載され、フレーム毎の優先度に関する情報を用いて各ブロックを再生するものではないことからも明らかである。
　よって、引用例１発明の「優先再生ブロック」及び「非優先再生ブロック」は、本願発明の「第１単位情報」に相当するというべきであって、前記主張を採用することはできない。
　(2)　「内容情報」について、「引用文献１に開示されている「優先度」は、全ての映像を再生するのではなく、「ハイライト」や、年齢などの「所定の条件にあった映像」のみを部分的に選択して再生するための、単なる『条件情報』でしかないと言わざるを得ないと思料致します。よって、選択対象とならない非優先フレームの内容自体を具体的に示すことはできないものであると思料致します。」と主張している。
　しかしながら、引用例１発明は、「非優先ブロック」のみを再生することも可能（前記３(1)オ段落【００２５】参照。）であり、また「教育用等のビデオディスクに於いて、見る者のレベルに応じて平易な解説シ−ンのみを選択的に再生したい場合や、逆に、平易な部分を省いて専門的で高度な解説シ−ンのみを選択的に再生したい場合である。また、ソフトのデモンストレ−ションのために当該ソフトのハイライトシ−ンのみを再生したい場合や、逆に、当該ソフトの販売を考慮して、宣伝時にはハイライトシ−ンを伏せて再生したい場合もある。また、大人用か子供用かで、シ−ンを切り換えて再生したい場合もある。」（前記３(1)イ段落【０００３】参照。）の課題を解決するためのものであるから、引用例１発明の「優先フラグ情報」が、単なる『条件情報』ではなく、映像信号における各ブロックの具体的内容を意味するもの（前記段落【０００３】の記載についていえば、ハイライトシーンか非ハイライトシーンかを示す情報、平易な解説シーンか高度な解説シーンかを示す情報ないしは大人用か子供用かを示す情報）といいうるものであるから、前記主張を採用することはできない。
　(3)　前記(1)及び(2)を前提としたその余の主張についても採用することはできない。
　
６　むすび
　以上のとおり、本願の請求項３８に係る発明は、引用例１、２に記載された発明に基づいて、当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。